(57)【要約】【課題】  取り扱いが容易で、迅速に開傘設置、折畳み撤収が可能、且つ制動力が大きな小型船舶用シーアンカーを提供する。【解決手段】  本発明のシーアンカーＡは、平面状で略円形の抵抗体１と、この抵抗体１の開口部の外周に装着した弾性を有する素材を用いた断面が扁平している平板状の板バネ２と、前記開口部に均等な間隔に配した位置に結合した３本の張索３、４、５と、この張索３、４、５に一端が結合され他端がボートに固定できるように自由端となっている引綱６とを有するものである。【選択図】図１
2019131157.tif 000002
【特許請求の範囲】
【請求項１】
平面状で略円形の抵抗体と、この抵抗体の開口部の外周に装着した弾性を有する素材を用いた断面が扁平している平板状の板バネと、前記開口部に均等な間隔に配した位置に結合した３本の張索と、この張索に一端が結合され他端がボートに固定できるように自由端となっている引綱とを有することを特徴とするシーアンカー。
【発明の詳細な説明】
【技術分野】
【０００１】  本発明は、ボート、カヤック等の小型船舶用に使用されるシーアンカーに関するものである。
【背景技術】
【０００２】  小型船舶が海上で停止する場合、風や波などの影響で、意図せず船体が方向を変えられたり、漂流したりしてしまうため、シーアンカーによって制動をかけることが知られている。【０００３】  このようなシーアンカーとして、所謂パラシュート型が知られている（例えば、特許文献１参照）。【０００４】  斯かるシーアンカーは、トンガリ帽子状のパラシュート部の開口縁部に鉄製若しくはステンレス製のワイヤーを装着しかつ突端部に係止部を備え、更に前記パラシュート部の開口部に該パラシュートとロープとを連結する係止帯を備えたシーアンカー本体を設け、該シーアンカー本体を海中の所望個所に投下した際に該パラシュート部が自動的かつ瞬時に開きワイヤーの重量によって海中に沈下させて船体を所定位置に停止させるものである。
【先行技術文献】
【特許文献】
【０００５】
【特許文献１】特開２００２−２５８７号公報
【発明の概要】
【発明が解決しようとする課題】
【０００６】  斯かるシーアンカーは、予め抵抗体開口部を開いた状態を保持しているため開口部の直径より小さく収納することができず、また、制動を大きくする目的のため開口部の径を大きくすると収納に場所を取るなどの問題があった。【０００７】  本発明は、このような従来の構造が有していた課題を解決しようとするものであり、折り畳んで収納することが容易であり、使用時には瞬時に開傘でき、非使用時には容易に小さく折り畳めるシーアンカーを実現することを目的とするものである。
【課題を解決するための手段】
【０００８】  本発明のシーアンカーは、平面状で略円形の抵抗体と、この抵抗体の開口部の外周に装着した弾性を有する素材を用いた断面が扁平している平板状の板バネと、前記開口部に均等な間隔に配した位置に結合した３本の張索と、この張索に一端が結合され他端がポートに固定できるように自由端となっている引綱とを有するものである。
【発明の効果】
【０００９】  本発明のシーアンカーは、使用時の開傘状態から非使用時の収納状態にする場合、張索の開口部に接続した点を収束することで、３等分に分割され、それを積層状態で折り畳むことにより、非使用時には使用時の９分の１の面積に収納できる。また、非使用時から使用時にする場合は、積層状態を解除することにより、自動的に開傘し、使用可能な形態となる。【００１０】  また、開口部に装着された形状を保持する部材が、ワイヤーなどの断面が円状の物ではなく、断面が扁平している為、ワイヤーの物より形状を安定させることができる。
【図面の簡単な説明】
【００１１】
【図１】  本発明の実施形態を示す斜視図である。
【図２】  同上の使用方法を示す説明図である。
【図３】  同上の形態変化を示す説明図である。
【図４】  同上の他の実施形態を示す説明図である。
【発明を実施するための形態】
【００１２】  以下、本発明の実施形態を添付図面に基づいて説明する。
【００１３】  本発明に係る実施形態を説明する図１〜４において、シーアンカーＡは、ナイロン等の柔軟性および耐久性を有する薄い平面状の生地を素材とした略円形の抵抗体１の外周に金属、又はグラスファイバー等の弾性を有する断面が扁平している平板状の板バネ２を装着し、抵抗体１の外周３か所の均等な間隔の位置に丈夫な紐状の３本の張索３〜５の各一端を結合し、張索３〜５の各他端は、丈夫な紐状の引綱６の一端に結合されており、この引網６の他端は、ボート７に固定できるように自由端となっている。
【００１４】  すなわち、図１（ａ）の全体図、および、同（ｂ）の拡大図で示す通り、シーアンカーＡは、使用時において、所謂パラシュート型を構成している。
【００１５】  このシーアンカーＡは、図２で示すように、使用時には、引綱６の前記自由端をボート７に固定して海中へ投下することによって、ボート７に制動をかけるものである。
【００１６】  次に、このシーアンカーＡの使用時から非使用時への取扱方法について説明すると、図３（ａ）の開傘した状態（使用時）で直径Ｒの抵抗体１は、同（ｂ）のように、一方の手（例えば、左手）で張索３〜５と引綱６の結合個所を持ち、他方の手（例えば、右手）で張索３〜５の前記各一端を束ねて抵抗体１の開口部を絞り、同（ｃ）のように、右手はそのままで左手を引くことにより、張索３〜５と抵抗体１の前記結合個所が一つの収束個所となる。
【００１７】  図３（ｃ）において、抵抗体１は、夫々が直径ｒ（Ｒの約３分の１）の３個の略円形状の分割円部分１ａ、１ｂ、１ｃを構成し、下方に位置するものから半時計方向に分割円部分１ａ、１ｂ、１ｃとしている。
【００１８】  図３（ｄ）のように、右手で前記収束個所を保持しながら左手で一つの分割円部分１ａの外周の板バネ２個所の一端を分割円部分１ｃ方向へ１８０度反転回転させることにより、板バネ２のねじれに応じて分割円部分１ａの右側に位置する分割円部分１ｂも分割円部分１ａ方向へ１８０度反転回転して、分割円部分１ａ、１ｂは、共に外側を向けた状態で平面状に畳まれる。
【００１９】  図３（ｅ）のように、分割円部分１ｃを分割円部分１ａに向けて手前に折り畳むと、同（ｆ）のように、分割円部分１ａの上に分割円部分１ｃが外側を向けた状態で被さると共に分割円部分１ｂが板バネ２の弾性力により分割円部分１ａの裏側へ横移動することから、使用者から見ると、分割円部分１ｃ、分割円部分１ａ、分割円部分１ｂの順番で直径ｒのコンパクトな集合体としてまとめることができる。
【００２０】  このように、シーアンカーＡは、３分割された分割円部分１ａ、分割円部分１ｂ、分割円部分１ｃを重ね合わせて抵抗体１を容易に小さく折り畳めることができ、非使用時には折り畳んだ状態で安定的となる。
【００２１】  しかも、シーアンカーＡの非使用時から使用時への移行には、図３（ｆ）の折り畳んだ状態から、張索３〜５のいずれか一本を保持し、抵抗体１を吊り下げることにより、図３（ａ）のように、板バネ２の弾性力に基づく復帰力によって抵抗体１が瞬時に開傘する。
【００２２】  図４は、シーアンカーＡの他の実施形態を示しており、前記実施形態の板バネ２の張索３の対面となる個所に錘８を設置することにより、シーアンカーＡの水中姿勢がさらに安定し、張索３が常に上方に位置するため、回収が容易となる（図４（ａ））。
【００２３】  また、張索４〜５と引綱６を連結金具９によって連結し、張索３が連結金具９を自由に通過するように設置し、引綱６の任意の個所に固定可能な自在金具１０に結合し、張索３の抵抗体１と連結金具９との間の長さを調節可能にすることにより、シーアンカーＡの抵抗体１の姿勢を変化可能とし、制動力を調節することができる（図４（ｂ）、（ｃ））。
【００２４】  このように、本発明のシーアンカーＡの抵抗体１は、使用時の直径Ｒ（図３（ａ））が、畳む際に直径ｒ（Ｒの約３分の１）の３個の略円形状の分割円部分１ａ、１ｂ、１ｃになって（図３（ｃ））、この分割円部分１ａ、１ｂ、１ｃの各面積が使用時の抵抗体１の面積の約９分の１になり、分割円部分１ａ、１ｂ、１ｃを重ね合わせることにより、非使用時には使用時の約９分の１の面積に抵抗体１を収納できるため（図３（ｆ））、非使用時に邪魔にならず、非使用時から使用時へも瞬時に開傘することができるため速やかに制動をかけることができるものである。
【００２５】  なお、本発明は、種々の変形が可能であり、例えば、抵抗体１の柔軟性および耐久性は、図３で示した使用方法ができる柔軟性、水中での抵抗に耐えられる耐久性を有する素材が使用でき、板バネ２も図３で示した使用方法ができる素材であれば良い。
【符号の説明】
【００２６】  Ａ  シーアンカー
１      抵抗体
１ａ、１ｂ、１ｃ  分割円部分
２      板バネ
３〜５  張索
６      引綱
７      ボート
８      錘
９      連結金具
１０    自在金具
【図１】
2019131157.tif 000003
【図２】
2019131157.tif 000004
【図３】
2019131157.tif 000005
【図４】
2019131157.tif 000006